(57)【特許請求の範囲】
【請求項１】
ショートメッセージサービスセンターを備える移動通信システムにおいてショートメッセージを発生する方法であって、送信者から、該送信者のＩＤを含み受信者に向けられた情報を上記ショートメッセージサービスセンターにて受信し、上記情報をショートメッセージとしてフォーマット化して該ショートメッセージを上記ショートメッセージサービスセンターから上記受信者へ送信する段階を含む方法において、
上記送信者のＩＤが保証されうるものであったかどうかの指標を上記ショートメッセージに与え、
上記指標に基づいて、上記送信者のＩＤが保証されうるものであったかどうかについて上記受信者に知らせる、
という段階を含むことを特徴とする方法。
【請求項２】
ＴＰ−ＯＡ基本要素（ＴＰ−発信アドレス）に含まれた選択されたビット組合せを上記指標として使用する請求項１に記載の方法。
【請求項３】
ＴＰ−ＯＡ基本要素（ＴＰ−発信アドレス）のアドレス形式構造部分に含まれた選択されたビット組合せを上記指標として使用する請求項２に記載の方法。
【請求項４】
ＴＰ−ＯＡ基本要素（ＴＰ−発信アドレス）のナンバリングプラン識別構造部分に含まれた選択されたビット組合せを上記指標として使用する請求項２に記載の方法。
【請求項５】
ショートメッセージを送信するための少なくとも１つのショートメッセージサービスセンター(SMSC)と、ショートメッセージを提示するための１つ以上のターミナル(MS)とを備えたショートメッセージを送信する移動通信システムにおいて、
上記ショートメッセージサービスセンター(SMSC)は、そのショートメッセージサービスセンターを経て送信されたメッセージの送信者のＩＤが保証されたものであるかどうかに関する情報を含む指標を、ショートメッセージを含むデータユニットに追加するように構成され、そして
上記ターミナル(MS)は、上記ショートメッセージサービスセンターを経て送信されたメッセージの送信者のＩＤが保証されたものであるかどうかについて受信者に知らせるため上記指標を使用するように構成されたことを特徴とする移動通信システム。
【請求項６】
上記指標は、ＴＰ−ＯＡ基本要素（ＴＰ−発信アドレス）に含まれたビット組合せより成る請求項５に記載の移動通信システム。
【請求項７】
上記指標は、ＴＰ−ＯＡ基本要素（ＴＰ−発信アドレス）のアドレス形式構造部分に含まれた選択されたビット組合せより成る請求項６に記載の移動通信システム。
【請求項８】
上記指標は、ＴＰ−ＯＡ基本要素（ＴＰ−発信アドレス）のナンバリングプラン識別構造部分に含まれた選択されたビット組合せより成る請求項６に記載の移動通信システム。
【請求項９】
移動通信システムにおいて機能するように構成されたショートメッセージサービスセンター(SMSC)であって、更に、該ショートメッセージサービスセンターを経て送信されたメッセージの送信者のＩＤが保証されたものであるかどうかに関する情報を含む指標を、該ショートメッセージを含むデータユニットに追加するよう構成されたことを特徴とするショートメッセージサービスセンター(SMSC)。
【請求項１０】
上記指標は、ＴＰ−ＯＡ基本要素（ＴＰ−発信アドレス）に含まれたビット組合せより成る請求項９に記載のショートメッセージサービスセンター(SMSC)。
【請求項１１】
上記指標は、ＴＰ−ＯＡ基本要素（ＴＰ−発信アドレス）のアドレス形式構造部分に含まれた選択されたビット組合せより成る請求項１０に記載のショートメッセージサービスセンター(SMSC)。
【請求項１２】
上記指標は、ＴＰ−ＯＡ基本要素（ＴＰ−発信アドレス）のナンバリングプラン識別構造部分に含まれた選択されたビット組合せより成る請求項１０に記載のショートメッセージサービスセンター(SMSC)。
【請求項１３】
ショートメッセージを受信する手段を含む移動通信システムのターミナル(MS)において、ショートメッセージサービスセンターを経て送信されたメッセージの送信者のＩＤが保証されたものであるかどうかに関する指標の情報を、上記ショートメッセージを含むデータユニットが上記指標を含むのに応答して、加入者に提示するように構成されたことを特徴とするターミナル。
【請求項１４】
上記指標は、ターミナル(MS)のディスプレイに与えられる記号である請求項１３に記載のターミナル。
【請求項１５】
上記指標は、任意の付加的な機能である請求項１３又は１４に記載のターミナル。
【発明の詳細な説明】
【０００１】
【技術分野】
本発明は、移動通信システムに係り、より詳細には、移動通信システムにおいてショートメッセージを発生する方法及びこの方法を実施する装置に係る。この方法は、ショートメッセージを含むデータユニットをショートメッセージサービスセンターからターミナルへ送信し、そして受信したショートメッセージをターミナルによって提示するという段階を含む。
【０００２】
【背景技術】
デジタル移動通信システムのトラフィックチャンネルに設定される通常のスピーチ及びデータ接続に加えて、システムの制御及びシグナリングチャンネル上を転送される短いデジタルデータメッセージが、実際のシグナリングの間に送信される。これらのメッセージを一般にショートメッセージと称する。ショートメッセージを発生するために移動通信システムには、通常、ショートメッセージサービスセンターが追加される。このショートメッセージサービスセンターは、ショートメッセージを送信すると共に、メッセージを記憶して、送信が失敗したメッセージを再送信する。ショートメッセージサービスセンターは、いずれかのネットワークを経てショートメッセージを受信するように構成することができる。ターミナル発信のショートメッセージの場合には、加入者がターミナルのキーボードを使用してショートメッセージを作成し、そしてターミナルは、そのショートメッセージを、シグナリングチャンネルを経、ベースステーション及び移動交換センターを経てショートメッセージサービスセンターへ送信する。ショートメッセージサービスセンターは、シグナリングチャンネル上を経、移動通信ネットワークを経て、別の加入者ターミナル、又は別の行先へショートメッセージを送信する。
【０００３】
ショートメッセージを送信した要素のアドレスは、ショートメッセージを受信する加入者へメッセージにおいて表示され、このアドレスは、通常、送信者のＭＳ−ＩＳＤＮ番号である。このように、番号がメッセージの符号として機能し、受信者がメッセージ送信者を識別する情報、ＩＤを結論できるようにする。あまり進歩していないショートメッセージサービスセンターでは、送信者の番号をアプリケーションプログラムインターフェイスによって処理でき、従って、システムは、間違ったＩＤを用いてショートメッセージを送信することができる。
【０００４】
ＮＯＫＩＡ  ＳＭＳＣのようなショートメッセージサービスセンターでは、送信者のＩＤを偽造することが不可能である。しかしながら、加入者は、クオリティをチェックするルーチンが著しく異なる多数の種々のショートメッセージサービスセンターからメッセージを受信できるので、ショートメッセージの送信者の識別を改善する明らかな必要性がある。
送信者識別は、ある種の通信において非常に重要である。間違ったＩＤを使用すると、誤解的及び破壊的通信を生じさせ、これは、ある場合には、受信者にとって非常に有害である。ショートメッセージを介して加入者に与えられるサービスの数及び選択性が増加し続けているので、悪用を防止するために益々注意を払わねばならなくなっている。
【０００５】
【発明の開示】
本発明の目的は、加入者が到来するショートメッセージにおける送信者データの真実性を評価できるようにする方法、及びこの方法を実施する装置を提供することである。
本発明の目的は、請求項１に記載の移動通信システムにおいてショートメッセージを発生する方法により達成される。この方法は、ショートメッセージを含むデータユニットをショートメッセージサービスセンターからターミナルへ送信し、そして受信したショートメッセージをターミナルにより提示する段階を含む。この方法は、ショートメッセージサービスセンターを経て送信されたメッセージの送信者のＩＤが保証されたものであるかどうかに関する情報を含む識別子を、ショートメッセージを含む上記データユニットに追加し、そしてショートメッセージを含むデータユニットが上記識別子を含むのに応答して、ショートメッセージサービスセンターを経て送信されたメッセージの送信者のＩＤが保証されたものであるかどうかに関する識別子情報を加入者に提示することを特徴とする。
【０００６】
又、本発明は、請求項５に記載のショートメッセージを送信する移動通信システムにも係る。このシステムは、ショートメッセージを送信するための少なくとも１つのショートメッセージサービスセンターと、ショートメッセージを提示するための１つ以上のターミナルとを備えている。この移動通信システムは、ショートメッセージサービスセンターを経て送信されたメッセージの送信者のＩＤが保証されたものであるかどうかに関する情報を含む識別子を、ショートメッセージを含む上記データユニットに追加するようにショートメッセージサービスセンターが構成され、そしてショートメッセージを含むデータユニットが上記識別子を含むのに応答して、ショートメッセージサービスセンターを経て送信されたメッセージの送信者のＩＤが保証されたものであるかどうかに関する識別子情報を加入者に提示するようにターミナルが構成されたことを特徴とする。
【０００７】
更に、本発明は、請求項９に記載の移動通信システムにおいて機能するショートメッセージサービスセンターにも係る。このショートメッセージサービスセンターは、このショートメッセージサービスセンターを経て送信されたメッセージの送信者のＩＤが保証されたものであるかどうかに関する情報を含む識別子を、ショートメッセージを含む上記情報ユニットに追加するように構成されたことを特徴とする。
【０００８】
更に、本発明は、請求項１３に記載の移動通信システムのターミナルであって、ショートメッセージを受信する手段を備えたターミナルにも係る。このターミナルは、ショートメッセージを含むデータユニットが識別子を含むのに応答して、ショートメッセージサービスセンターを経て送信されたメッセージの送信者のＩＤが保証されたものであるかどうかに関する識別子情報を加入者に提示するように構成されたことを特徴とする。
本発明の好ましい実施形態は、従属請求項に記載する。
【０００９】
本発明は、ショートメッセージサービスセンターの機能が送信者のＩＤに関して保証されたものであるかどうかに関する情報を含む識別子を、ショートメッセージを含むデータユニットに追加するようにショートメッセージサービスセンターが構成されるという考え方をベースとする。送信者のＩＤを例えばアプリケーションプログラムインターフェイスを経て操作できる場合には、ショートメッセージサービスセンターは、保護されたとみなすことができない。ショートメッセージサービスセンターを経て供給されるショートメッセージの送信者のＩＤを各々の場合に保証できるならば、ショートメッセージサービスセンターは保護されたとみなすことができる。上記識別子は、アプリケーションに基づいて選択できるやり方で発生することができる。これらの方法の幾つかを以下に詳細に説明するが、本発明は、これに限定されるものではない。
本発明の方法及びシステムは、到来するショートメッセージにおける送信者データの真実性を評価する簡単なやり方を加入者に提供するという効果を奏する。
【００１０】
【発明を実施するための最良の形態】
以下、添付図面を参照して、本発明の好ましい実施形態を詳細に説明する。
本発明は、ＧＳＭシステム（移動通信用のグローバルシステム）のショートメッセージサービスを一例として使用して以下に説明する。しかしながら、本発明は、ＧＳＭシステムに限定されるものではなく、同様のメッセージサービスを使用する他のシステム、例えば、ＤＣＳ１８００（デジタル通信システム）、ＰＣＮ（パーソナル通信ネットワーク）、及びＴＥＴＲＡ（トランスヨーロピアントランク型無線）規格に基づくシステム、並びに開発中の第３世代移動通信システムにも適用できる。
【００１１】
図１は、移動着信ショートメッセージの供給に関与するＧＳＭシステムの基本的構造部分を示す。ＧＳＭネットワークの構造は、２つの部分、即ちベースステーションサブシステムＢＳＳ及びネットワークサブシステムＮＳＳより成る。ＢＳＳ及び移動ステーションＭＳは、無線接続を使用して通信する。本発明による移動ステーションの動作は、図２を参照して詳細に説明する。ベースステーションサブシステムＢＳＳでは、各セルがベーストランシーバステーションＢＴＳによりサービスされる。ベーストランシーバステーションＢＴＳは、通常、多数のベーストランシーバステーションのグループとしてベースステーションコントローラＢＳＣに接続される。ベースステーションコントローラは、ベーストランシーバステーションＢＴＳにより使用される無線周波数及び無線チャンネルを制御する。ベースステーションコントローラＢＳＣは、少なくとも１つの移動ステーションＭＳに関するコールを交換する移動交換センターＭＳＣに接続される。ある移動交換センターＭＳＣは、公衆交換電話ネットワークＰＳＴＮのような他のテレコミュニケーションネットワーク（図示せず）に接続され、これらネットワークへの及びこれらネットワークからのコールを交換する接続機能を含む。ショートメッセージサービスにおいては、移動交換センターＭＳＣは、それが受信したショートメッセージを移動ステーションＭＳ又はショートメッセージサービスセンターＳＭＳＣへ送信する。
【００１２】
コールのルート指定には２つの形式のデータベースが含まれる。その一方は、ネットワークにおける各加入者のデータが永久的又は半永久的に記憶されるホームロケーションレジスタＨＬＲと称されるもので、このデータは、加入者がアクセスするサービスに関する情報と、加入者の現在位置とを含む。他方のデータベースは、ビジターロケーションレジスタＶＬＲと称される。このビジターロケーションレジスタＶＬＲは、通常、１つの移動交換センターＭＳＣに接続されるが、多数のセンターにサービスすることもできる。移動ステーションＭＳがアクティブである（即ち、ネットワークに登録されてコールを送信又は受信できる）ときには、ホームロケーションレジスタＨＬＲにある移動ステーションＭＳに関するほとんどの加入者データが、移動ステーションＭＳが位置するエリアの移動交換センターＭＳＣのビジターロケーションレジスタＶＬＲへロード（複写）される。ホームロケーションレジスタ及びビジターロケーションレジスタは、コールのルート指定と実質的に同様に、ショートメッセージを移動通信システムにルート指定するのに使用される。
【００１３】
ショートメッセージサービスに対し、システムは、ショートメッセージサービスセンターＳＭＳＣと、ショートメッセージサービスゲートウェイＳＭＳＧＷとを備えている。ショートメッセージサービスセンターＳＭＳＣは、図３を参照して以下に詳細に説明する。ショートメッセージサービスゲートウェイＳＭＳＧＷは、ショートメッセージを移動ステーションに送信するセンター（ショートメッセージサービス用のゲートウェイ移動交換センター）ＳＭＳ−ＧＭＳＣと、移動着信ショートメッセージを送信するセンター（ショートメッセージサービス用のインターワーキング移動交換センター）ＳＭＳ−ＩＷＭＳＣとに対する共通の名前である。ＳＭＳ−ＧＭＳＣは、ショートメッセージサービスセンターＳＭＳＣからショートメッセージを受信し、ホームロケーションレジスタＨＬＲからルート情報を要求し、そして移動交換センターＭＳＣを経て移動ステーションＭＳへショートメッセージを送信する。対応的に、ＳＭＳ−ＩＷＭＳＣは、移動ステーションからショートメッセージを受信し、そしてそれらを更にショートメッセージサービスセンターＳＭＳＣへ送信する。
【００１４】
ショートメッセージエンティティＳＭＥは、ショートメッセージを送信及び／又は受信することのできる何らかのデバイスである。ショートメッセージエンティティは、移動ステーション、ショートメッセージサービスセンター又は固定ネットワークに配置することができる。
ショートメッセージは、実際のシグナリングの中で、制御チャンネル即ちシグナリングチャンネルを経て送信される。ＧＳＭシステムは、スタンドアローン専用制御チャンネルＳＤＣＣＨ、又は低速関連制御チャンネルＳＡＣＣＨのいずれかを使用して、ショートメッセージを送信する。最後に述べたものは、移動ステーションがトラフィックチャンネルに接続を有するとき、換言すれば、移動ステーションが例えばコールに参加するときに、使用される。
【００１５】
図２は、本発明の移動ステーションＭＳを示すブロック図である。ＧＳＭシステムでは、移動ステーションは、実際のターミナルと、取り外し可能に移動ステーションに取り付けられる加入者識別モジュールＳＩＭとで構成される。ＧＳＭシステムにおいて加入者識別モジュールとして使用されるＳＩＭカードは、移動ステーションに挿入されるスマートカードであり、これは、国際移動加入者識別番号ＩＭＳＩのような加入者の識別に関するデータと、移動ステーションにより受信されたショートメッセージを記憶するためのある量のメモリＭ２とを含む。実際のターミナルは、トランシーバＴｘ／Ｒｘ及びそのアンテナと、ユーザインターフェイスＵＩと、コントローラＣＰと、メモリＭ１とを備え、メモリのある量は、ショートメッセージの記憶に指定される。従って、移動ステーションのメモリは、２つの部分、即ちターミナルのメモリＭ１と、ＳＩＭカードのメモリＭ２とを含む。
【００１６】
ユーザインターフェイスＵＩは、通常、キーボード、ディスプレイ、スピーカ及びマイクロホンを含むが、これらは図２には示されていない。ユーザインターフェイスＵＩにより、ユーザは、ショートメッセージを書き込み、送信し、読み取り、削除し、そして再書き込みし、更に、他の指令をコントローラＣＰへ与えることができる。
コントローラＣＰは、例えば、ショートメッセージに関連した上記入力をユーザインターフェイスから受信する。コントローラＣＰは、移動ステーションがユーザインターフェイスＵＩを経てショートメッセージを受信したことを、ディスプレイに現れるメッセージ又は記号や、信号により、移動ＭＳユーザに提示することができる。又、コントローラＣＰは、移動ステーション及び／又は移動通信システムのオペレーションに関する信号、テキスト命令又は命令記号を、ユーザインターフェイスを経て移動加入者へ与えることもできる。
【００１７】
図３は、本発明のショートメッセージサービスセンターＳＭＳＣを示すブロック図である。ショートメッセージサービスセンターＳＭＳＣは、ショートメッセージサービスゲートウェイＳＭＳＧＷを経て移動通信システムの移動ステーションからショートメッセージを受信したりそこへ送信したりするためのインターフェイス部分Ｌ１を備えている。又、ショートメッセージサービスセンターＳＭＳＣは、このショートメッセージサービスセンターを、ＰＳＴＮのような他のネットワーク、及び／又はこのショートメッセージサービスセンターに直結される応答サービスに接続するためのインターフェイス部分Ｌ２（１つしか図示されていない）も備えている。これらのインターフェイス部分は、ショートメッセージ、又はＥメールメッセージのような他のメッセージを送信及び受信するのに使用され、対応するインターフェイス部分Ｌ１、Ｌ２においてこれら他のメッセージからショートメッセージが形成されたり又はショートメッセージから他のメッセージが形成されたりする。更に、ショートメッセージサービスセンターＳＭＳＣは、これにより受信されたショートメッセージを更に転送供給するための転送部分ＲＰも備えている。又、この転送部分ＲＰは、供給できないショートメッセージをそのメモリＭに記憶し、そしてショートメッセージの供給が行われるときにメモリから命令に従ってそれを検索する。更に、ショートメッセージサービスセンターは、例えば、応答サービスから受信した命令に基づいてショートメッセージを発生するメッセージ発生部分ＧＰも備えている。
【００１８】
図４は、ＧＳＭ仕様に基づいてショートメッセージを転送するのに使用されるプロトコルアーキテクチャーを示す図であると共に、本発明の実施形態を説明するのに使用される幾つかの要素を詳細に示す図でもある。ＧＳＭシステムでは、ショートメッセージ転送層プロトコルＳＭ−ＴＰは、ショートメッセージサービスセンターＳＭＳＣと移動ステーションＭＳとの間のＴＬ層に関連したプロトコルである。このプロトコルのＳＭＳ−ＤＥＬＩＶＥＲデータユニット（転送プロトコルデータユニットＴＤＰＵ）は、ショートメッセージサービスセンターから移動ステーションへショートメッセージを転送し、そしてＳＭＳ−ＳＵＢＭＩＴデータユニットは、対応的に、移動ステーションからショートメッセージサービスセンターへショートメッセージを転送する。ＳＭＳ−ＤＥＬＩＶＥＲデータユニットは、実際のショートメッセージを転送するＵＤ基本要素（ユーザデータ）を実質的に備えている。本発明の解決策では、ショートメッセージの形態で転送されるべきデータユニットにＩＤ情報が含まれ、そして情報はショートメッセージにおいて移動ステーションＭＳへ送信される。上記ＩＤ情報に基づき、ターミナルは、メッセージの元の送信者が操作できないショートメッセージサービスセンターからショートメッセージが発信されたものであるかどうかの指標を加入者に与えることができる。
【００１９】
ＳＭＳ−ＤＥＬＩＶＥＲデータユニットは、２ないし１２ビットオクテットより成るＴＰ−ＯＡ基本要素を含み、これは、ショートメッセージを送信したショートメッセージエンティティのアドレスを含む。図５は、アドレスの長さ、アドレスの形式及びアドレスの値を含むＴＰ−ＯＡ要素（ＴＰ発信アドレス）の構造を示す。アドレスの長さは、１ビットオクテットで表される整数で、アドレス値フィールドの長さを提示する。
図６に示すアドレス形式の構造から明らかなように、この要素は、長さが３ビットの番号形式フィールドと、長さが４ビットのナンバリングプラン識別フィールドとを含む。各フィールドに対して定義された多数のビット組合せがあり、これらの組合せに基づき、ソースアドレスのアドレス値フィールドに含まれる番号データを解釈することができる。
【００２０】
本発明は、ショートメッセージの受信者に、到来メッセージの送信者のＩＤが保証されたものであるかどうかを示す指標が、そのショートメッセージを転送するデータユニットに追加されるという考え方をベースとする。本発明の好ましい実施形態では、識別子は、番号形式フィールド又はナンバリングプラン識別フィールドに対して定義されてそこに追加されるビット又はビットマップより成り、これらは、特にこの目的のために指定される。送信されるショートメッセージの送信者のＩＤを操作することを許さないショートメッセージサービスセンターＳＭＳＣのみが、上記ビットマップを上記フィールドに組み入れることができる。
【００２１】
ショートメッセージサービスセンターＳＭＳＣによって送信されたメッセージは、ショートメッセージサービスセンターゲートウェイＳＭＳ−ＧＭＳＣを経て移動通信ネットワークへ転送され、そして更に、無線インターフェイスを経てターミナルＭＳへ転送される。ターミナルは、トランシーバＴｚ／Ｒｘによってデータユニットを受信し、そしてデータユニットは、ターミナルコントローラＣＰへ転送される。本発明によれば、ターミナルＭＳ、好ましくは、そのコントローラＣＰは、アドレス形式フィールドからの上記ビットマップを識別し、そしてその識別に基づいてターミナルのオペレーションを制御する。加入者に対して指標を与える方法は、アプリケーション特有の解決策であり、各ターミナルごとに別々に選択することができる。コントローラＣＰは、ユーザインターフェイスに含まれたディスプレイを制御し、それが加入者にある記号を示すようにする。加入者は、この記号から、メッセージ送信者のＩＤが保証されたものであるかどうか結論付けることができる。従って、加入者は、各々の場合に、メッセージの真実性を疑うべきであるかどうか別々に判断することができる。又、この指標は、ショートメッセージに対する逸脱信号であってもよいし、又はメッセージと共にディスプレイ上に示される言葉の指標（例えば、「加入者保証されず」）であってもよい。又、この指標は、教育された加入者及び／又はショートメッセージサービスを頻繁に使用する加入者が自分のターミナルにおいて任意に使用するターミナルＭＳの付加的な機能であってもよい。
【００２２】
上記の実施形態では、ＴＰ−ＯＡ基本要素に含まれたビットマップが識別子として使用される。識別子の選択は、選択されたやり方で実施できるアプリケーション特有の解決策である。例えば、ＧＳＭシステムでは、識別子は、ビットマップをＰＩＤ基本要素（ＴＰ−プロトコル識別子）に対して定義するか、又はＵＤ基本要素（ユーザデータ）のユーザデータヘッダに対して定義することにより、同様に実施することができる。識別子は、ショートメッセージを送信するデータユニットに含まれ、従って、データユニットにおいてターミナルＭＳに転送されるのが重要である。ターミナルは、識別子を確認し、そして識別子で提示されたやり方で動作するように構成される。
【００２３】
図７のフローチャートは、本発明の方法を示す。ステップ７１０において、ショートメッセージサービスセンターＳＭＳＣは、ショートメッセージを含むデータユニットを受信する。ショートメッセージサービスセンターＳＭＳＣが保護されたショートメッセージサービスセンターであり（ステップ７１５）、換言すれば、このセンターを経て受信される送信者のアドレスが送信者によって操作できない場合には、ショートメッセージサービスセンターは、そのセンターの信頼性レベルを示す識別子を、ショートメッセージを含むデータユニットに追加することができる（ステップ７２０）。ショートメッセージサービスセンターが保護されていない場合には、識別子をデータユニットに追加することができない（ステップ７２５）。その後、ショートメッセージを含むデータユニットが通常のやり方でターミナルに供給される（ステップ７３０）。ターミナルのコントローラＣＰは、受信したデータユニットが保護を示す識別子を含むかどうかチェックする（ステップ７４０）。識別子が見つかった場合には、制御ユニットは、到来するメッセージを送信したショートメッセージサービスセンターが保護されたものであることを、例えば、ターミナルディスプレイに保護指標記号を与えることにより提示する（ステップ７４５）。データユニットに識別子が見つからない場合には、保護を提示することができない（ステップ７５０）。その後、ショートメッセージ機能は、通常のやり方で続けられる（ステップ７５５）。保護の指標は、個別機能である必要がなく、ショートメッセージの表示に関連して実施することもできる。
【００２４】
図８のシグナリングチャートは、ショートメッセージ機能に関連した本発明の方法の実施を示す。信号８．１は、ショートメッセージを含むデータユニットを表し、このデータユニットは、ショートメッセージエンティティＳＭＥによりショートメッセージサービスセンターＳＭＳＣへ転送される。上述したＧＳＭ環境においては、データユニットが転送プロトコル層のＳＭＳ−ＳＵＢＭＩＴメッセージである。ステップ８．２では、保護されたショートメッセージサービスセンターＳＭＳＣが、保護を示す識別子をデータユニットに追加する。この識別子は、例えば、上述したように、ＴＰ−ＯＡ要素に構成されたビットマップによって保護することができる。その後、ショートメッセージの供給が、上述したやり方で、移動通信ネットワークを経て続けられる（信号８．３ないし８．７）。データユニットがターミナルＭＳに入ると、ターミナルの制御ユニットは、ショートメッセージサービスセンターが保護されたものであることを提示する選択された識別子をデータユニットが含むかどうかチェックする。データユニットが識別子を含みそして加入者のターミナルが提示を許す場合には、そのメッセージを送信したショートメッセージサービスセンターＳＭＳＣが保護されていることが加入者に通知される。
【００２５】
上記の例では、識別子は、ショートメッセージの送信者のＩＤを保証できるショートメッセージサービスセンターに追加される。しかしながら、送信者のＩＤを保証できないショートメッセージサービスセンターにおいてのみショートメッセージを含むデータユニットに識別子を追加するように構成することもでき、この場合には、指標は、当然、送信者のＩＤを保証できないショートメッセージサービスセンターからショートメッセージが発信されることを示す。上記説明及び添付図面は、単に本発明を例示するものに過ぎないことを理解されたい。従って、請求の範囲に記載した本発明の精神及び範囲から逸脱せずに種々の変更がなされ得ることが当業者に明らかであろう。
【図面の簡単な説明】
【図１】  公知技術により移動着信ショートメッセージの供給に関与するＧＳＭシステムの基本的な構造部分を示す図である。
【図２】  公知技術による移動ステーションＭＳを示すブロック図である。
【図３】  公知技術によるショートメッセージサービスセンターＳＭＳＣを示すブロック図である。
【図４】  ＧＳＭ仕様に基づきショートメッセージを転送するのに使用されるプロトコルアーキテクチャーを示す図で、本発明の実施形態を説明するのに使用する幾つかの要素を詳細に示す図である。
【図５】  ＴＰ−ＯＡ要素の構造を示す図である。
【図６】  アドレス形式の構造を示す図である。
【図７】  本発明の方法を示すフローチャートである。
【図８】  本発明によるショートメッセージ機能を示すシグナリングチャートである。
【図１】
0004282902.tif 000002
【図２】
0004282902.tif 000003
【図３】
0004282902.tif 000004
【図４】
0004282902.tif 000005
【図５】
0004282902.tif 000006
【図６】
0004282902.tif 000007
【図７】
0004282902.tif 000008
【図８】
0004282902.tif 000009